(57)【要約】【課題】入射光が反射するときに干渉作用により多彩な色彩効果を得ることができる遊技機用装飾フィルムを提供する。【解決手段】透明フィルム１の裏面に分光反射フレーク４が混合されたホログラムインキによる絵柄印刷層２を形成したうえに、この印刷層２の上から裏打ち紙３を接着する。また、透明フィルム１の裏面にホログラムインキによる絵柄印刷層２と不透明絵具による絵柄印刷層６とを形成したうえに、さらにその上に裏打ち紙３を接着する。透明フィルム１の裏面にホログラムインキ印刷層２ａを形成し、この印刷層２ａの上面に不透明絵具による絵柄印刷層６を形成してもよく、又、透明フィルム１の裏面に透明絵具による絵柄印刷層７を形成し、この絵柄印刷層７の上面にホログラムインキ印刷層２ａを形成してもよい。【選択図】　　図３
2004121730.tif 000002
【特許請求の範囲】
【請求項１】
透明フィルムの裏面に分光反射フレークが混合されたホログラムインキによる絵柄印刷層を形成したうえに、この印刷層の上から裏打ち紙を接着したことを特徴とする遊技機用装飾フィルム。
【請求項２】
透明フィルムの裏面に分光反射フレークが混合されたホログラムインキによる絵柄印刷層と不透明絵具による絵柄印刷層とを形成したうえに、これらの印刷層の上から裏打ち紙を接着したことを特徴とする遊技機用装飾フィルム。
【請求項３】
透明フィルムの裏面に分光反射フレークが混合されたホログラムインキによる印刷層を形成し、さらにこの印刷層の上面に不透明絵具による絵柄印刷層を形成したうえ、これらの印刷層の上から裏打ち紙を接着したことを特徴とする遊技機用装飾フィルム。
【請求項４】
透明フィルムの裏面に透明絵具による絵柄印刷層を形成し、さらにこの絵柄印刷層の上面に分光反射フレークが混合されたホログラムインキによる印刷層を形成したうえ、これらの印刷層の上から裏打ち紙を接着したことを特徴とする遊技機用装飾フィルム。
【発明の詳細な説明】
【０００１】
【発明の属する技術分野】
本発明は、パチンコ機やスロットルマシンの盤面や装飾品に貼り付けて用いられる遊技機用装飾フィルムに関するものである。
【０００２】
【従来の技術】
遊技機用装飾フィルムとしては、セルロイド板等の表面に絵柄を印刷したものが広く用いられている。この絵柄印刷層はセルロイド板等の表側に形成されているために、十分な光沢を持たせることが困難であり、盤面に設けられた発光器からの光線を反射させて美的効果を高めることは困難であった。
【０００３】
そこで、光線を反射させて美的効果を高める装飾用フィルムとして、実公平７−５３６５８号公報に開示されている如く、透明フィルムの裏面に透明絵具による絵柄印刷層を形成し、さらにこの絵柄印刷層の上面に金属粉印刷層を形成したうえに、これらの印刷層の上から裏打ち紙を接着した遊技機用装飾フィルムを先に考案した。しかしながら、この遊技機用装飾フィルムにおける金属粉印刷層は、アルミニウム粉末などの金属粉を有機溶剤中に分散させて、これが印刷されたものであるので、金属粉体が入射光線を単純に反射させるだけであって、装飾効果が単純であった。その理由は、反射効果は入射光にのみ依存するからであって、例えば、白色光が入射した場合には、白色の反射光しか得られず、従って、装飾効果において十分満足できるものではなかった。
【特許文献１】実公平７−５３６５８号公報（第３頁、図１）
【０００４】
【発明が解決しようとする課題】
本発明は上記した従来の問題点を解決し、入射光が反射するときに干渉作用により多彩な色彩効果を得ることができる遊技機用装飾フィルムを提供するためになされたものである。
【０００５】
【課題を解決するための手段】
上記の課題を解決するためになされた本発明の遊技機用装飾フィルムは、透明フィルムの裏面に分光反射フレークが混合されたホログラムインキによる絵柄印刷層を形成したうえに、この印刷層の上から裏打ち紙を接着したことを特徴とするものである。また、透明フィルムの裏面に分光反射フレークが混合されたホログラムインキによる絵柄印刷層と不透明絵具による絵柄印刷層とを形成したうえに、これらの印刷層の上から裏打ち紙を接着したことを特徴とするものであり、透明フィルムの裏面に分光反射フレークが混合されたホログラムインキによる印刷層を形成し、さらにこの印刷層の上面に不透明絵具による絵柄印刷層を形成したうえ、これらの印刷層の上から裏打ち紙を接着したことを特徴とするものである。又、本発明の遊技機用装飾フィルムは、透明フィルムの裏面に透明絵具による絵柄印刷層を形成し、さらにこの絵柄印刷層の上面に分光反射フレークが混合されたホログラムインキによる印刷層を形成したうえ、これらの印刷層の上から裏打ち紙を接着したことを特徴とするものである。
【０００６】
本発明の遊技機用装飾フィルムは、分光反射フレークが混合されたホログラムインキを用いて絵柄などの描かれた印刷層を形成したので、装飾フィルムに入射した光が反射する時にこの印刷層により入射光が干渉されて、ホログラム特有のダイヤモンドに似た輝きによって多彩な色彩効果を発揮することができる。
【０００７】
【発明の実施の形態】
以下に図面を参照しつつ本発明の好ましい実施形態を説明する。
図１は、本発明の遊技機用装飾フィルムの断面構造を示す図であって、１はセルロイド等からなる透明フィルム、２はその裏面に形成されたホログラムインキによる絵柄印刷層であり、この絵柄印刷層２の上面（裏面）に裏打ち紙３が接着されている。４は下記する分光反射フレークである。
【０００８】
絵柄印刷層２はホログラムインキを用いてスクリーン印刷等により絵柄が印刷された層であって、ホログラムインキは、厚さ５〜５０μｍ、サイズ０．０５〜４ｍｍの亀甲形、正方形、円形など適宜の形状にカットされた分光反射フレーク４と、樹脂インキビヒクルとが混合されたものである。分光反射フレーク４は、ＰＥＴフィルムなどの表面に微細な溝の分光回折格子をエンボス加工することによりホログラム処理を施し、アルミニウム蒸着等により反射コートを施してホログラムフィルムを作成し、これをカットして得られるものである。また、樹脂インキビヒクルは、例えば官能基を有するエポキシ樹脂などの架橋性樹脂と、イソシアネート系などの架橋剤と、エーテル系などの有機溶剤とから構成される紫外線硬化型や、飽和ポリエステル樹脂等を芳香族炭化水素系溶剤に溶解した溶剤型などのものである。そして、ホログラムインキは、樹脂インキビヒクルに分光反射フレーク４が５〜１５％添加されており、青い感じで最も輝く銀色（シルバー系インキ）、黄味がかって輝く金色（ゴールド系インキ）、赤みをもって輝く銅色（カッパー系インキ）、黒味の色で輝度の少し落ちる錫色（ピューター系インキ）などのものとすることができる。
【０００９】
ホログラムインキにより、図２に示すように絵柄５を印刷すると、分光反射フレーク４は印刷面に分散されて光の反射点となる。ここで、分光反射フレーク４は、その表面に分光回折格子がエンボス加工されて反射コートを施したものであるから、印刷された各分光反射フレーク４はある方向からみた場合、反射光の波長は同一ではなく、各分光反射フレーク４ごとに適宜の波長の反射光を増幅させて反射する。従って、各反射点からの反射光の色は様々であって、装飾フィルムは絵柄を見る角度によって虹の７色に変化させてきらきらと輝やかせるので、高い装飾効果を発揮することができる。
【００１０】
なお、図３に示すように、ホログラムインキによる絵柄印刷層２の一部を不透明絵具を用いた絵柄印刷層６とすれば、不透明絵具で印刷された部分の光の反射を通常の単色光反射とすることができる。このようにすることによって、光の反射に変化をつけて盤面をきらびやかに装飾することができる。
【００１１】
また、ホログラムインキを透光性を有するものとして、図４に示すように、透明フィルム１の裏側にホログラムインキ印刷層２ａを形成し、このホログラムインキ印刷層２ａの裏面に不透明絵具による絵柄印刷層６を形成することによっても、分光反射フレーク４により多彩な色彩効果を発揮することができる。
【００１２】
さらに、図５に示すように、透明フィルム１の裏側に、透明絵具による絵柄印刷層７を形成し、さらにこの絵柄印刷層７の上面にホログラムインキ印刷層２ａを形成することによっても多彩な装飾効果を得ることができる。上記したホログラム印刷層２ａは絵柄のない単色刷りとしてもよいし、絵柄印刷層６又は７の絵柄と調和させた絵柄が印刷されたものとしてもよい。また、裏打ち紙４は白色であってもよいが、その下面（表面）に黒色などの暗色絵具印刷層を形成することにより、特に良好な発色効果を得ることができる。なお、装飾フィルムは盤面全体を覆うような大きな装飾シートとしてもよいし、図６、７に示すような絵柄形状に裁断されて役物などの装飾品に貼着することのできる小さい装飾シートとすることもできる。
【００１３】
【発明の効果】
以上に説明したように、本発明の遊技機用装飾フィルムは、分光反射フレークが混合されたホログラムインキを用いて印刷層を形成したので、ホログラムインキ内の分光反射フレークが光の反射点となり、装飾フィルムに入射した光が反射する時に分光反射フレークにより入射光が干渉されて多彩な色彩効果を発揮することができる。
従って、本発明は遊技機の装飾効果を大幅に高めることができるものとして極めて大きな価値を有するものである。
【図面の簡単な説明】
【図１】第１の実施形態の装飾フィルムを示す断面図である。
【図２】装飾フィルムの正面図である。
【図３】第２の実施形態の装飾フィルムを示す断面図である。
【図４】第３の実施形態の装飾フィルムを示す断面図である。
【図５】第４の実施形態の装飾フィルムを示す断面図である。
【図６】装飾シートの正面図である。
【図７】装飾シートの正面図である。
【符号の説明】
１　　透明フィルム
２　　ホログラムインキによる絵柄印刷層
２ａ　ホログラムインキによる印刷層
３　　裏打ち紙
４　　分光反射フレーク
６　　不透明絵具による絵柄印刷層
７　　透明絵具による絵柄印刷層
【図１】
2004121730.tif 000003
【図２】
2004121730.tif 000004
【図３】
2004121730.tif 000005
【図４】
2004121730.tif 000006
【図５】
2004121730.tif 000007
【図６】
2004121730.tif 000008
【図７】
2004121730.tif 000009